(57)【要約】【課題】ゴンドラ等の据付用昇降装置を昇降路内で安全かつ効率良く所定方向に移動させることができ、このためエレベータ据付の作業効率を向上させることができ、また据付用昇降装置自体の簡素化および軽量化を図ることができる据付用昇降装置移動方法を提供する。【解決手段】エレベータの昇降路４０の上方に、ロープ２を掛けるための固定具１を昇降路４０の所定方向に沿って複数据え付け、これらの複数の固定具１にそれぞれロープ２を掛ける。据付用昇降装置３の巻上機７が係合する一のロープを複数のロープ２間で移し替えることにより据付用昇降装置３を昇降路４０内で所定方向に移動させる。さらに巻上機７が一のロープ２の巻き取りまたは巻き戻しを行うことにより据付用昇降装置３を昇降路４０内で昇降させることができるようになる。【選択図】図１
2008222382.tif 000002
【特許請求の範囲】
【請求項１】
エレベータ据付時に据付用昇降装置をエレベータの昇降路内で移動させる据付用昇降装置移動方法であって、
前記昇降路の上方に、ロープを掛けるための固定具を当該昇降路の所定方向に沿って複数据え付ける工程と、
前記昇降路内で吊り下げられたロープに係合して回転駆動する巻上機を有し、当該巻上機が前記ロープの巻き取りまたは巻き戻しを行うことにより前記昇降路内で昇降を行うような据付用昇降装置を準備する工程と、
前記複数の固定具にそれぞれロープを掛け、前記据付用昇降装置の前記巻上機が係合する一のロープを前記複数のロープ間で移し替えることにより前記据付用昇降装置を前記昇降路内で所定方向に移動させ、さらに前記巻上機が一のロープの巻き取りまたは巻き戻しを行うことにより前記据付用昇降装置を前記昇降路内で昇降させる工程と、
を備えたことを特徴とする据付用昇降装置移動方法。
【請求項２】
前記複数の固定具は、各々、前記昇降路の上方におけるエレベータ乗降口近傍の位置、エレベータのメインレール立設部近傍の位置、および前記メインレール立設部と前記昇降路の背面壁との間の位置にそれぞれ据え付けられることを特徴とする請求項１記載の据付用昇降装置移動方法。
【請求項３】
前記据付用昇降装置は非伸縮性部材から構成されていることを特徴とする請求項１または２記載の据付用昇降装置移動方法。
【請求項４】
前記据付用昇降装置を用いてエレベータ据付作業を行った後に、前記固定具に掛けられた複数のロープのうち最もエレベータ乗降口に近いロープ以外のロープを前記固定具から取り外して前記据付用昇降装置とともにエレベータの最上階ホールに搬出する工程と、
エレベータかごの試運転終了後に、最もエレベータ乗降口に近いロープを前記固定具から取り外し、前記エレベータかご内に前記据付用昇降装置および前記固定具から取り外された前記ロープを入れて最下階まで降ろし、これらの据付用昇降装置およびロープの搬出を行う工程と、
を更に備えたことを特徴とする請求項１乃至３のいずれか一項に記載の据付用昇降装置移動方法。
【請求項５】
エレベータ据付時に据付用昇降装置をエレベータの昇降路内で移動させる据付用昇降装置移動方法であって、
前記昇降路の上方に、トロリビームを掛けるための固定具を据え付ける工程と、
前記昇降路内で吊り下げられたロープに係合して回転駆動する巻上機を有し、当該巻上機が前記ロープの巻き取りまたは巻き戻しを行うことにより前記昇降路内で昇降を行うような据付用昇降装置を準備する工程と、
前記昇降路の所定方向に沿って延びるよう前記固定具にトロリビームを掛け、このトロリビームにトロリを設置する工程と、
前記トロリにロープを掛け、前記据付用昇降装置の巻上機を当該ロープに係合させる工程と、
前記トロリを前記トロリビームに沿って移動させることにより前記据付用昇降装置を前記昇降路内で所定方向に移動させ、さらに前記巻上機が前記トロリに掛けられたロープの巻き取りまたは巻き戻しを行うことにより前記据付用昇降装置を前記昇降路内で昇降させる工程と、
を備えたことを特徴とする据付用昇降装置移動方法。
【請求項６】
前記トロリビームの両端はそれぞれエンドプレートにより覆われており、前記昇降路の天井部と前記トロリビームの上面とが略平行になるよう前記天井部に設置された保持部材により前記エンドプレートを保持させることを特徴とする請求項５記載の据付用昇降装置移動方法。
【請求項７】
前記トロリビームは平行に２本設けられており、これらのトロリビームにつなぎ部材を２本平行に架け渡し、２本の前記トロリビームおよび２本の前記つなぎ部材により井桁を構成することを特徴とする請求項５または６記載の据付用昇降装置移動方法。
【請求項８】
前記トロリビームは平行に２本設けられており、一方のトロリビームに設置されるトロリはプレーントロリであり、他方のトロリビームに設置されるトロリはギヤードトロリであり、前記プレーントロリおよび前記ギヤードトロリはつなぎ部材で接続され、前記ギヤードトロリに対して手動で操作を行うことにより前記プレーントロリおよび前記ギヤードトロリが一体的に移動するようになっていることを特徴とする請求項５または６記載の据付用昇降装置移動方法。
【請求項９】
エレベータ据付時に据付用昇降装置をエレベータの昇降路内で移動させる据付用昇降装置移動方法であって、
前記昇降路の上方に、ロープを掛けるための固定具を当該昇降路の所定方向に沿って複数据え付ける工程と、
前記昇降路内で吊り下げられたロープに係合して回転駆動する巻上機を複数有し、当該各巻上機がそれぞれ前記ロープの巻き取りまたは巻き戻しを行うことにより前記昇降路内で昇降を行うような据付用昇降装置を準備する工程と、
前記複数の固定具にそれぞれロープを掛け、前記据付用昇降装置における複数の前記巻上機にそれぞれ前記固定具に掛けられたロープを係合させ、各巻上機が独立して前記ロープの巻き取りまたは巻き戻しを行うことにより前記据付用昇降装置を前記昇降路内で所定方向に移動させる工程と、
を備えたことを特徴とする据付用昇降装置移動方法。
【請求項１０】
前記複数の固定具は、少なくとも、前記昇降路の上方におけるエレベータ乗降口近傍の位置、および前記昇降路の上方における背面壁近傍の位置にそれぞれ据え付けられることを特徴とする請求項９記載の据付用昇降装置移動方法。
【発明の詳細な説明】
【技術分野】
【０００１】
本発明は、エレベータ据付時に据付用昇降装置をエレベータの昇降路内で移動させる据付用昇降装置移動方法に関し、とりわけ、据付用昇降装置を昇降路内で安全かつ効率良く所定方向に移動させることができる据付用昇降装置移動方法に関する。
【背景技術】
【０００２】
従来のエレベータ据付工法においては、低層の建屋では、最初に単管パイプを組み立てて固定足場を形成し、この固定足場によりエレベータ機器の各部品、すなわちエレベータ乗降口装置、緩衝装置、ガイドレール、ブラケット、昇降路内機器等の取り付け及び配管、結線を行い、その後、最上階においてかご枠、かご室を、最下階においてカウンターウェイトをそれぞれ組み立て、更に巻上機ワイヤーロープ掛けを行って、最後に固定足場を撤去していた。
【０００３】
一方、中高層の建屋の場合には、昇降路内にゴンドラを吊下げ、このゴンドラ内に作業員が乗り込んで作業を進めるゴンドラ工法が一般的に採用されていた（例えば、特許文献１等参照）。
【０００４】
ゴンドラ工法の場合において、図３１に示すように、ゴンドラ８３は電動ウィンチ８７を備えており、一方昇降路９０の天井部から天井フック８１および重量フック８４を介して駆動ロープ８２およびセイフティライン８６が吊り下げられており、駆動ロープ８２に電動ウィンチ８７を係合させて当該電動ウィンチ８７が駆動ロープ８２の巻き取りまたは巻き戻しを行うことにより昇降路９０内でゴンドラ８３の昇降を行っていた。
【０００５】
【特許文献１】特開平１０−３１０３４０号公報
【発明の開示】
【発明が解決しようとする課題】
【０００６】
ところで、近年では、住宅用のエレベータにおいても、昇降路の奥行寸法の大きなものが普及している。また、病院等に設置される寝台用のエレベータにおいては昇降路の奥行寸法を大きくする必要がある。ここで、このような昇降路の奥行寸法の大きなエレベータにおいては、エレベータ据付作業時においてゴンドラと昇降路の背面壁（図３１の符号９１で示される壁）との間に大きな間隔ができ、ゴンドラから作業員が身を乗り出さなければ当該背面壁へエレベータ用品を据え付けることができず、このため作業効率が低下し、また安全性に問題があった。
【０００７】
また、従来のゴンドラとして、昇降路の奥行寸法に合わせてゴンドラの手摺が伸縮するようなものが知られている。しかしながら、伸縮する手摺を有するようなゴンドラにおいても、この伸縮手摺の寸法に限界があり、完全に伸長させたとしても昇降路の背面壁に届かない場合があるという問題がある。また、このようなゴンドラにおいては、ゴンドラ本体部と、乗降口側手摺と、背面壁側手摺とがそれぞれ重なり合って摺動するような複雑な構造となっているので、ゴンドラ全体が重くなってしまうという問題がある。また、乗降口側手摺および背面壁側手摺を伸縮させて組み立て、収納を行う際に、摺動部が競り合ってしまい、作業員にとって余計な労力が必要になってしまうという問題がある。
【０００８】
本発明は、このような点を考慮してなされたものであり、ゴンドラ等の据付用昇降装置を昇降路内で安全かつ効率良く所定方向に移動させることができ、このためエレベータ据付の作業効率を向上させることができ、また据付用昇降装置自体の簡素化および軽量化を図ることができる据付用昇降装置移動方法を提供することを目的とする。
【課題を解決するための手段】
【０００９】
本発明は、エレベータ据付時に据付用昇降装置をエレベータの昇降路内で移動させる据付用昇降装置移動方法であって、前記昇降路の上方に、ロープを掛けるための固定具を当該昇降路の所定方向に沿って複数据え付ける工程と、前記昇降路内で吊り下げられたロープに係合して回転駆動する巻上機を有し、当該巻上機が前記ロープの巻き取りまたは巻き戻しを行うことにより前記昇降路内で昇降を行うような据付用昇降装置を準備する工程と、前記複数の固定具にそれぞれロープを掛け、前記据付用昇降装置の前記巻上機が係合する一のロープを前記複数のロープ間で移し替えることにより前記据付用昇降装置を前記昇降路内で所定方向に移動させ、さらに前記巻上機が一のロープの巻き取りまたは巻き戻しを行うことにより前記据付用昇降装置を前記昇降路内で昇降させる工程と、を備えたことを特徴とする据付用昇降装置移動方法である。
【００１０】
このような据付用昇降装置移動方法によれば、複数の固定具にそれぞれロープを掛け、据付用昇降装置の巻上機が係合する対象となる一のロープを前述の吊り下げられた複数のロープ間で移し替えることにより据付用昇降装置を昇降路内で所定方向（例えば、奥行き方向）に移動させることができ、さらに巻上機が一のロープの巻き取りまたは巻き戻しを行うことにより据付用昇降装置を昇降路内で昇降させることができるようになる。このため、据付用昇降装置を昇降路内で安全かつ効率良く所定方向に移動させることができ、このことにより据付用昇降装置を利用したエレベータ据付の作業効率を向上させることができる。また、据付用昇降装置に伸縮性のある手摺を設ける必要がなくなるので、据付用昇降装置自体の簡素化および軽量化を図ることができるようになる。
【００１１】
上述の据付用昇降装置移動方法においては、前記複数の固定具は、各々、前記昇降路の上方におけるエレベータ乗降口近傍の位置、エレベータのメインレール立設部近傍の位置、および前記メインレール立設部と前記昇降路の背面壁との間の位置にそれぞれ据え付けられることが好ましい。
【００１２】
上述の据付用昇降装置移動方法においては、前記据付用昇降装置は非伸縮性部材から構成されていることが好ましい。このことにより、据付用昇降装置自体の簡素化および軽量化をより一層図ることができるようになる。
【００１３】
上述の据付用昇降装置移動方法においては、前記据付用昇降装置を用いてエレベータ据付作業を行った後に、前記固定具に掛けられた複数のロープのうち最もエレベータ乗降口に近いロープ以外のロープを前記固定具から取り外して前記据付用昇降装置とともにエレベータの最上階ホールに搬出する工程と、エレベータかごの試運転終了後に、最もエレベータ乗降口に近いロープを前記固定具から取り外し、前記エレベータかご内に前記据付用昇降装置および前記固定具から取り外された前記ロープを入れて最下階まで降ろし、これらの据付用昇降装置およびロープの搬出を行う工程と、を更に備えたことが好ましい。このような方法によれば、エレベータかごの試運転の間に、据付用昇降装置およびロープ等を最上階ホールで搬出保管し、エレベータかご組立完了後に、エレベータかご内に据付用昇降装置およびロープ等を搬入して最下階まで降ろして搬出することができるようになり、作業効率をより一層向上させることができるようになる。
【００１４】
本発明は、エレベータ据付時に据付用昇降装置をエレベータの昇降路内で移動させる据付用昇降装置移動方法であって、前記昇降路の上方に、トロリビームを掛けるための固定具を据え付ける工程と、前記昇降路内で吊り下げられたロープに係合して回転駆動する巻上機を有し、当該巻上機が前記ロープの巻き取りまたは巻き戻しを行うことにより前記昇降路内で昇降を行うような据付用昇降装置を準備する工程と、前記昇降路の所定方向に沿って延びるよう前記固定具にトロリビームを掛け、このトロリビームにトロリを設置する工程と、前記トロリにロープを掛け、前記据付用昇降装置の巻上機を当該ロープに係合させる工程と、前記トロリを前記トロリビームに沿って移動させることにより前記据付用昇降装置を前記昇降路内で所定方向に移動させ、さらに前記巻上機が前記トロリに掛けられたロープの巻き取りまたは巻き戻しを行うことにより前記据付用昇降装置を前記昇降路内で昇降させる工程と、を備えたことを特徴とする据付用昇降装置移動方法である。
【００１５】
このような据付用昇降装置移動方法によれば、昇降路の上方において昇降路の所定方向（奥行き方向）に沿って延びるようトロリビームを設け、このトロリビームにトロリを設置し、トロリにロープを掛けて据付用昇降装置の巻上機を当該ロープに係合させたので、トロリをトロリビームに沿って移動させることにより据付用昇降装置をトロリビームに沿って所定方向に移動させることができ、さらに巻上機がロープの巻き取りまたは巻き戻しを行うことにより据付用昇降装置を昇降路内で昇降させることができるようになる。このため、据付用昇降装置を昇降路内で安全かつ効率良く所定方向に移動させることができ、このことにより据付用昇降装置を利用したエレベータ据付の作業効率を向上させることができる。また、据付用昇降装置に伸縮性のある手摺を設ける必要がなくなるので、据付用昇降装置自体の簡素化および軽量化を図ることができるようになる。さらに、トロリを使用しているので、据付用昇降装置の所定方向における移動を、作業員に負担を与えることなく人力でも楽に行うことができるようになる。
【００１６】
上述の据付用昇降装置移動方法においては、前記トロリビームの両端はそれぞれエンドプレートにより覆われており、前記昇降路の天井部と前記トロリビームの上面とが略平行になるよう前記天井部に設置された保持部材により前記エンドプレートを保持させることが好ましい。このことにより、トロリビームを略水平状態で配設することができるようになるので、トロリも略水平方向に移動するようになり、据付用昇降装置の所定方向における移動をより容易に行うことができるようになる。
【００１７】
また、前記トロリビームは平行に２本設けられており、これらのトロリビームにつなぎ部材を２本平行に架け渡し、２本の前記トロリビームおよび２本の前記つなぎ部材により井桁を構成することが好ましい。このように、２本のトロリビームをつなぎ部材で架け渡しているので、トロリビームのレベルを容易に出すことができるようになる。
【００１８】
また、前記トロリビームは平行に２本設けられており、一方のトロリビームに設置されるトロリはプレーントロリであり、他方のトロリビームに設置されるトロリはギヤードトロリであり、前記プレーントロリおよび前記ギヤードトロリはつなぎ部材で接続され、前記ギヤードトロリに対して手動で操作を行うことにより前記プレーントロリおよび前記ギヤードトロリが一体的に移動するようになっていることが好ましい。このことにより、作業員は手動で容易にトロリをトロリビームに沿って移動させることができるようになる。
【００１９】
本発明は、エレベータ据付時に据付用昇降装置をエレベータの昇降路内で移動させる据付用昇降装置移動方法であって、前記昇降路の上方に、ロープを掛けるための固定具を当該昇降路の所定方向に沿って複数据え付ける工程と、前記昇降路内で吊り下げられたロープに係合して回転駆動する巻上機を複数有し、当該各巻上機がそれぞれ前記ロープの巻き取りまたは巻き戻しを行うことにより前記昇降路内で昇降を行うような据付用昇降装置を準備する工程と、前記複数の固定具にそれぞれロープを掛け、前記据付用昇降装置における複数の前記巻上機にそれぞれ前記固定具に掛けられたロープを係合させ、各巻上機が独立して前記ロープの巻き取りまたは巻き戻しを行うことにより前記据付用昇降装置を前記昇降路内で所定方向に移動させる工程と、を備えたことを特徴とする据付用昇降装置移動方法である。
【００２０】
このような据付用昇降装置移動方法によれば、複数の固定具にそれぞれロープを掛け、据付用昇降装置における複数の巻上機にそれぞれ前述の固定具に掛けられたロープを係合させ、各巻上機が独立してロープの巻き取りまたは巻き戻しを行うようになっている。この際に、各々の巻上機が異なる張力で各々のロープに係合することにより据付用昇降装置を昇降路内で所定方向に移動させることができるようになる。このため、据付用昇降装置を昇降路内で安全かつ効率良く所定方向に移動させることができ、このことにより据付用昇降装置を利用したエレベータ据付の作業効率を向上させることができる。また、据付用昇降装置を非伸縮性部材からなる手摺等から構成させることができるようになるので、据付用昇降装置自体の簡素化および軽量化を図ることができるようになる。
【００２１】
上述の据付用昇降装置移動方法においては、前記複数の固定具は、少なくとも、前記昇降路の上方におけるエレベータ乗降口近傍の位置、および前記昇降路の上方における背面壁近傍の位置にそれぞれ据え付けられることが好ましい。
【発明の効果】
【００２２】
本発明の据付用昇降装置移動方法によれば、据付用昇降装置を昇降路内で安全かつ効率良く所定方向に移動させることができ、このためエレベータ据付の作業効率を向上させることができ、また据付用昇降装置自体の簡素化および軽量化を図ることができる。
【発明を実施するための最良の形態】
【００２３】
〔第１の実施の形態〕
以下、本発明の第１の実施の形態について、図１乃至図１３を参照して説明する。図１乃至図３は、本実施の形態においてゴンドラが昇降路内で前後方向（奥行き方向）に移動する状況を示す図であって、図１は、ゴンドラがエレベータ乗降口近傍にあるときの状態を示す側面図、図２は、ゴンドラがメインレール立設部近傍にあるときの状態を示す側面図、図３は、ゴンドラが昇降路の背面壁近傍にあるときの状態を示す側面図である。また、図４は、本実施の形態におけるゴンドラの移動方法を示すフローチャートであり、図５乃至図１１は、本実施の形態におけるゴンドラの移動方法を順次示す側面図である。また、図１２は、駆動ロープを天井フック（固定具）に掛けるための重量フックの構成を示す斜視図であり、図１３は、天井フックに揚重機を掛けたときの状態を示す側面図である。
【００２４】
図１乃至図３に示すように、エレベータの昇降路４０の天井部に、駆動ロープ２等のロープを掛けるための天井フック１が複数据え付けられている。ここで、図１乃至図３に示す昇降路４０において左方はエレベータの乗降口側であり、右方は背面壁４１側となっている。複数の天井フック１は、昇降路４０の奥行き方向である前後方向（図１乃至図３における左右方向）に沿って複数据え付けられている。更に具体的には、複数の天井フック１は、各々、昇降路４０の天井部におけるエレベータ乗降口近傍の位置（図１乃至図３において左方の位置）、エレベータのメインレール立設部近傍の位置（図１乃至図３において中央の位置）、およびメインレール立設部と昇降路４０の背面壁４１との間の位置（図１乃至図３において右方の位置）にそれぞれ据え付けられている。
【００２５】
図１乃至図３に示すように、エレベータ据付時には、各天井フック１から駆動ロープ２およびセイフティライン６が重量フック４およびシャックル５を介して吊り下げられている。図１２に、重量フック４およびシャックル５の具体的な構成を示す。図１２に示すように、昇降路４０の天井部にはフック固定部材４５が設けられており、このフック固定部材４５に天井フック１が設置されている。そして、この天井フック１に、シャックル５が取り付けられた重量フック４が掛けられ、当該シャックル５に駆動ロープ２およびセイフティライン６がそれぞれ掛けられるようになっている。
【００２６】
エレベータ据付時には、図１乃至図３に示すようなゴンドラ３が用いられる。このゴンドラ３は、巻上機の一種である電動ウィンチ７およびセイフティブロック２４を備えている。電動ウィンチ７は、昇降路４０内で吊り下げられた駆動ロープ２に係合して回転駆動するようになっており、電動ウィンチ７が駆動ロープ２の巻き取りまたは巻き戻しを行うことによりゴンドラ３が昇降路４０内で昇降を行うようになっている。ここで、ゴンドラ３は、三方枠を有する最も小さなエレベータ乗降口を通過するような大きさのうち最大の大きさとなっている。また、ゴンドラ３は非伸縮性部材からなる手摺等から構成されている。
【００２７】
次に、エレベータの昇降路４０内におけるこのようなゴンドラ３の移動方法について、図４に示すフローチャートおよび図５乃至図１１に示す側面図を用いて説明する。
【００２８】
まず、図４のＳｔｅｐ１および図５に示すように、昇降路４０の天井部におけるエレベータ乗降口近傍の位置にある天井フック１に、重量フック４およびシャックル５を介して駆動ロープ２およびセイフティライン６を掛ける。次に、図４のＳｔｅｐ２および図６に示すように、ゴンドラ３をエレベータの昇降路４０の隣の搬出入ホール４２に準備し、エレベータ乗降口近傍の位置にある天井フック１から吊り下げられた駆動ロープ２にゴンドラ３の電動ウィンチ７を係合させる。また、セイフティライン６をセイフティブロック２４に通す。次に、図４のＳｔｅｐ３および図７に示すように、ゴンドラ３を昇降路４０のピットに降ろす。
【００２９】
その後、ゴンドラ３に、更なる駆動ロープ２およびセイフティライン６を積み込み、図４のＳｔｅｐ４および図８に示すように、昇降路４０内のエレベータ乗降口近傍でゴンドラ３を上昇させ、ゴンドラ３を昇降路４０の天井部付近まで移動させる。そして、図４のＳｔｅｐ５および図９に示すように、ゴンドラ３に積み込まれた駆動ロープ２およびセイフティライン６を、昇降路４０の天井部におけるメインレール立設部近傍の位置にある天井フック１に掛ける。次に、ゴンドラ３を一旦昇降路４０のピットに降ろし、メインレール立設部近傍の位置にある天井フック１から吊り下げられた駆動ロープ２にゴンドラ３の電動ウィンチ７を係合させ、また、セイフティライン６をセイフティブロック２４に通す（図４のＳｔｅｐ６参照）。
【００３０】
その後、ゴンドラ３に、更なる駆動ロープ２およびセイフティライン６を積み込み、図４のＳｔｅｐ７および図１０に示すように、昇降路４０内のメインレール立設部近傍でゴンドラ３を上昇させ、ゴンドラ３を昇降路４０の天井部付近まで移動させる。そして、図４のＳｔｅｐ８および図１１に示すように、ゴンドラ３に積み込まれた駆動ロープ２およびセイフティライン６を、昇降路４０の天井部におけるメインレール立設部と昇降路４０の背面壁４１との間の位置にある天井フック１に掛ける。
【００３１】
このようにして、図１乃至図３に示すように、ゴンドラ３の電動ウィンチ７が係合する対象となる一のロープを、複数の吊り下げられた駆動ロープ２間で移し替えることにより、ゴンドラ３を昇降路４０内で前後方向（図１乃至図３の左右方向）に移動させることができるようになる（図４のＳｔｅｐ９参照）。なお、この際に、図１乃至図３に示すように、ゴンドラ３に設けられたロープガイド２５を伸ばし、このロープガイド２５の上端の取り付け部に天井２６を取り付けている。
【００３２】
ゴンドラ３が図１に示すようなエレベータ乗降口近傍にあるときには、当該ゴンドラ３に乗った作業員は、エレベータ乗降口用の三方枠、ドア吊り等の据付作業を行うことができるようになる。また、ゴンドラ３が図２に示すようなメインレール立設部近傍にあるときには、当該ゴンドラ３に乗った作業員は、エレベータメインレールの立付け、レールブラケット等の据付作業を行うことができるようになる。また、ゴンドラ３が図３に示すようなメインレール立設部と前記昇降路４０の背面壁４１との間の位置にあるときには、当該ゴンドラ３に乗った作業員は、カウンターレールの立付け、レールブラケットの取り付け等の背面壁４１側の用品の据付作業を行うことができるようになる。
【００３３】
以上のように本実施の形態のゴンドラ移動方法によれば、複数の天井フック１にそれぞれ駆動ロープ２を掛け、ゴンドラ３の電動ウィンチ７が係合する対象となる一のロープを複数の駆動ロープ２間で移し替えることによりゴンドラ３を昇降路４０内で前後方向に移動させることができ、さらに電動ウィンチ７が一の駆動ロープ２の巻き取りまたは巻き戻しを行うことによりゴンドラ３を昇降路４０内で昇降させることができるようになる。このため、ゴンドラ３を昇降路４０内で安全かつ効率良く前後方向に移動させることができ、このことによりゴンドラ３を利用したエレベータ据付の作業効率を向上させることができる。また、ゴンドラ３を非伸縮性部材からなる手摺等から構成させることができるようになるので、ゴンドラ３自体の簡素化および軽量化を図ることができるようになる。
【００３４】
なお、昇降路４０の天井部に設置された各天井フック１は、例えばベビーホイストからなる揚重機８を吊り下げることができるような強度を有することが好ましい（図１３参照）。この場合には、天井フック１に揚重機８を吊り下げることにより、三方枠やガイドレール等の重量物を容易に揚重することができるようになる。
【００３５】
また、上述のゴンドラ移動方法において、ゴンドラ３を用いてエレベータ据付作業を行った後に、天井フック１に掛けられた複数の駆動ロープ２およびセイフティライン６のうち最もエレベータ乗降口に近い（すなわち、図１等において最も左側にある）駆動ロープ２およびセイフティライン６以外の駆動ロープ２およびセイフティライン６を天井フック１から取り外してゴンドラ３とともにエレベータの最上階のホール４２に搬出し、その後、エレベータかごの試運転終了後に、最もエレベータ乗降口に近い駆動ロープ２およびセイフティライン６を天井フック１から取り外し、エレベータかご内にゴンドラ３および天井フック１から取り外された各駆動ロープ２等を入れて最下階まで降ろし、これらのゴンドラ３および各駆動ロープ２等の搬出を行うことが好ましい。
【００３６】
このような方法によれば、エレベータかごの試運転の間に、ゴンドラ３、駆動ロープ２およびセイフティライン６等を最上階のホール４２で搬出保管し、エレベータかご組立完了後に、エレベータかご内にゴンドラ３、駆動ロープ２およびセイフティライン６等を搬入して最下階まで降ろして搬出することができるようになり、作業効率をより一層向上させることができるようになる。
【００３７】
〔第２の実施の形態〕
以下、本発明の第２の実施の形態について、図１４乃至図２７を参照して説明する。図１４乃至図１６は、本実施の形態においてゴンドラが昇降路４０内で前後方向に移動する状況を示す図であって、図１４は、ゴンドラがエレベータ乗降口近傍にあるときの状態を示す側面図、図１５は、ゴンドラがメインレール立設部近傍にあるときの状態を示す側面図、図１６は、ゴンドラが昇降路４０の背面壁４１近傍にあるときの状態を示す側面図である。また、図１７は、本実施の形態におけるゴンドラの移動方法を示すフローチャートであり、図１８乃至図２１は、本実施の形態におけるゴンドラの移動方法を順次示す側面図である。また、図２２は、昇降路４０の天井部に設けられたトロリビームの構成を示す上面図であり、図２３は、昇降路４０の天井部に設けられたトロリビームの構成を示す側面図である。また、図２４は、図２３のトロリビームのＡ−Ａ矢視図であり、図２５は、図２３のトロリビームのＢ−Ｂ矢視図であり、図２６は、図２３のトロリビームおよびトロリのＣ−Ｃ矢視図であり、図２７は、図２６のトロリのＤ−Ｄ矢視図である。
【００３８】
図１４乃至図１６に示すように、エレベータの昇降路４０の天井部に、駆動ロープ２等のロープを掛けるための天井フック１が複数据え付けられている。ここで、図１４乃至図１６に示す昇降路４０において左方はエレベータの乗降口側であり、右方は背面壁４１側となっている。複数の天井フック１の据え付け位置は図１乃至図３に示すような第１の実施の形態における天井フック１の据え付け位置と略同一となっている。
【００３９】
エレベータ据付時には、図１４乃至図１６に示すようなゴンドラ３が用いられる。このゴンドラ３の構成は、図１乃至図３に示すような第１の実施の形態におけるゴンドラ３の構成と略同一となっている。
【００４０】
また、本実施の形態においては、昇降路４０の天井部近傍に、昇降路４０の前後方向（図１４乃至図１６の左右方向）に沿って延びるようＩ形鋼からなるトロリビーム９が設けられるようになっており、このトロリビーム９にトロリ１０が設置され、当該トロリ１０から駆動ロープ２およびセイフティライン６が重量フック４およびシャックル５を介して吊り下げられている。このようなトロリビーム９およびトロリ１０の更に具体的な構成について、図２２乃至図２７を用いて説明する。
【００４１】
図２２に示すように、Ｉ形鋼からなるトロリビーム９は平行に２本設けられており、これらのトロリビーム９にはＬ形鋼からなるつなぎ部材１９が２本平行に架け渡されており、２本のトロリビーム９および２本のつなぎ部材１９により井桁が構成されている。具体的には、図２５に示すように、各トロリビーム９の上面に、傾斜座金１３、ナット１４、平座金１５およびばね座金１６を介して、ボルト２０によってつなぎ部材１９の下面が固定されている。また、図１４や図２２、図２６等に示すように、各トロリビーム９の両端近傍の上面には、傾斜座金１３、ナット１４、平座金１５およびばね座金１６を介して、Ｕボルト１２がそれぞれ取り付けられている。図１４等に示すように、トロリビーム９は、シャックル５およびＵボルト１２を介して、昇降路４０の天井部におけるエレベータ乗降口近傍の位置にある天井フック１およびメインレール立設部と昇降路４０の背面壁４１との間の位置にある天井フック１に取り付けられるようになっている。
【００４２】
図２３はトロリビーム９の構成を示す側面図である。図２２および図２３に示すように、トロリビーム９の両端はそれぞれエンドプレート２７により覆われている。また、各エンドプレート２７の外側面には丸パイプ２９が溶接されている。一方、昇降路４０の天井部には複数のジャッキベース２８が下方に延びるよう取り付けられており、各ジャッキベース２８はそれぞれの丸パイプ２９の上端を保持するようになっている。ここで、各ジャッキベース２８は、昇降路４０の天井部とトロリビーム９の上面とが略平行になるよう、それぞれの丸パイプ２９の上端を保持している。また、図１４、図２４等に示すように、エンドプレート２７には、トロリビーム９に沿って移動しているトロリ１０を停止させるための、ボルトの頭をゴムで覆ったストッパー３０がナット１４により固定されている。
【００４３】
図２６に示すように、平行な２本のトロリビーム９にそれぞれ１つずつトロリ１０が設けられており、一方のトロリビーム９に設置されるトロリ１０（図２６における左側のトロリ１０）はプレーントロリ１０ｂであり、他方のトロリビーム９に設置されるトロリ１０（図２６における右側のトロリ１０）はギヤードトロリ１０ａである。これらの２つのトロリ１０は、取付板２１を介してつなぎパイプ２２により接続されている。ギヤードトロリ１０ａにはハンドチェーン１８が設けられており、作業者が手動でこのハンドチェーン１８の操作を行うことができるようになっている。すなわち、作業者がギヤードトロリ１０ａに対してハンドチェーン１８により手動で操作を行うことにより、プレーントロリ１０ｂおよびギヤードトロリ１０ａが一体的に移動するようになっている。
【００４４】
図２６および図２７に示すように、各トロリ１０は、トロリビーム９を走行するための左右一対のローラ１１と、重量フック４に係合可能な吊り元板２３とを有している。図１４等に示すように、トロリ１０の吊り元板２３に、重量フック４およびシャックル５を介して駆動ロープ２を掛けることができるようになっている。
【００４５】
次に、エレベータの昇降路４０内におけるこのようなゴンドラ３の移動方法について、図１７に示すフローチャートおよび図１８乃至図２１に示す側面図を用いて説明する。
【００４６】
まず、図１７のＳｔｅｐ１および図１８に示すように、昇降路４０の天井部におけるメインレール立設部近傍の位置にある天井フック１に、重量フック４およびシャックル５を介して駆動ロープ２およびセイフティライン６を掛ける。次に、図１７のＳｔｅｐ２に示すように、ゴンドラ３をエレベータの昇降路４０の隣の搬出入ホール４２に準備し、メインレール立設部近傍の位置にある天井フック１から吊り下げられた駆動ロープ２にゴンドラ３の電動ウィンチ７を係合させる。また、セイフティライン６をセイフティブロック２４に通す。次に、図１７のＳｔｅｐ３に示すように、ゴンドラ３を昇降路４０のピットに降ろす。
【００４７】
その後、ゴンドラ３に揚重機８を積み込み、図１７のＳｔｅｐ４に示すように、昇降路４０内のメインレール立設部近傍でゴンドラ３を上昇させ、ゴンドラ３を昇降路４０の天井部付近まで移動させる。そして、図１７のＳｔｅｐ５および図１９に示すように、ゴンドラ３に積み込まれた揚重機８を、昇降路４０の天井部におけるメインレール立設部近傍の位置にある天井フック１に掛ける。次に、図１７のＳｔｅｐ６および図２０に示すように、天井フック１に掛けられた揚重機８を用いて、トロリ１０が設けられたトロリビーム９を昇降路４０のピットから上昇させ、このトロリビーム９を昇降路４０の天井部付近まで移動させる。そして、昇降路４０の天井部におけるエレベータ乗降口近傍の位置にある天井フック１およびメインレール立設部と昇降路４０の背面壁４１との間の位置にある天井フック１に、シャックル５およびＵボルト１２を介してこのトロリビーム９を取り付ける。
【００４８】
そして、ゴンドラ３に更なる駆動ロープ２およびセイフティライン６を積み込み、このゴンドラ３を昇降路４０の天井部付近まで移動させ、図１７のＳｔｅｐ７および図２１に示すように、トロリビーム９に設けられたトロリ１０に、重量フック４およびシャックル５を介して駆動ロープ２およびセイフティライン６を掛ける。この際に、天井フック１に掛けられた駆動ロープ２およびセイフティライン６を取り外すようにする。最後に、図１７のＳｔｅｐ８および図１４等に示すように、トロリ１０から吊り下げられた駆動ロープ２にゴンドラ３の電動ウィンチ７を係合させる。また、セイフティライン６をセイフティブロック２４に通す。
【００４９】
このようにして、図１４乃至図１６に示すように、トロリ１０をトロリビーム９に沿って移動させることによりゴンドラ３をトロリビーム９に沿って昇降路４０内で前後方向（図１４等の左右方向）に移動させることができるようになる（図１７のＳｔｅｐ９参照）。具体的には、ゴンドラ３を昇降路４０の天井部近傍まで上昇させ、ギヤードトロリ１０ａのハンドチェーン１８に作業者の手が届くような位置で止めて作業者がハンドチェーン１８を操作することにより、トロリ１０を昇降路４０の前後方向に移動させることでゴンドラ３も昇降路４０内で前後方向に移動させることができるようになる。なお、この際に、図１４乃至図１６に示すように、ゴンドラ３に設けられたロープガイド２５を伸ばし、このロープガイド２５の上端の取り付け部に天井２６を取り付けている。
【００５０】
ゴンドラ３が図１４に示すようなエレベータ乗降口近傍にあるときには、当該ゴンドラ３に乗った作業員は、エレベータ乗降口用の三方枠、ドア吊り等の据付作業を行うことができるようになる。また、ゴンドラ３が図１５に示すようなメインレール立設部近傍にあるときには、当該ゴンドラ３に乗った作業員は、エレベータメインレールの立付け、レールブラケット等の据付作業を行うことができるようになる。また、ゴンドラ３が図１６に示すようなメインレール立設部と前記昇降路４０の背面壁４１との間の位置にあるときには、当該ゴンドラ３に乗った作業員は、カウンターレールの立付け、レールブラケットの取り付け等の背面壁４１側の用品の据付作業を行うことができるようになる。
【００５１】
以上のように本実施の形態のゴンドラ移動方法によれば、昇降路４０の天井部において昇降路４０の前後方向（奥行き方向）に沿って延びるようトロリビーム９を設け、このトロリビーム９にトロリ１０を設置し、トロリ１０に駆動ロープ２を掛けてゴンドラ３の電動ウィンチ７を当該駆動ロープ２に係合させたので、トロリ１０をトロリビーム９に沿って移動させることによりゴンドラ３をトロリビーム９に沿って前後方向に移動させることができ、さらに電動ウィンチ７が駆動ロープ２の巻き取りまたは巻き戻しを行うことによりゴンドラ３を昇降路４０内で昇降させることができるようになる。このため、ゴンドラ３を昇降路４０内で安全かつ効率良く前後方向に移動させることができ、このことによりゴンドラ３を利用したエレベータ据付の作業効率を向上させることができる。また、ゴンドラ３を非伸縮性部材からなる手摺等から構成させることができるようになるので、ゴンドラ３自体の簡素化および軽量化を図ることができるようになる。さらに、トロリ１０を使用しているので、ゴンドラ３の前後方向における移動を、作業員に負担を与えることなく人力でも楽に行うことができるようになる。
【００５２】
なお、上述のようなゴンドラ移動方法においては、トロリ１０が手動で駆動可能となっているものに限定されることはなく、トロリ１０を電動トロリにし、その駆動を無線リモコン等により操作することができるようにしてもよい。この場合、ゴンドラ３を昇降路４０の天井部近傍まで上昇させなくとも、昇降路４０における前後方向に当該ゴンドラ３を移動させることができるようになる。
【００５３】
〔第３の実施の形態〕
以下、本発明の第３の実施の形態について、図２８乃至図３０を参照して説明する。図２８乃至図３０は、本実施の形態においてゴンドラが昇降路４０内で前後方向に移動する状況を示す図であって、図２８は、ゴンドラがエレベータ乗降口近傍にあるときの状態を示す側面図、図２９は、ゴンドラがメインレール立設部近傍にあるときの状態を示す側面図、図３０は、ゴンドラが前記昇降路４０の背面壁４１近傍にあるときの状態を示す側面図である。
【００５４】
図２８乃至図３０に示すように、エレベータの昇降路４０の天井部に、駆動ロープ２等のロープを掛けるための天井フック１が複数据え付けられている。ここで、図２８乃至図３０に示す昇降路４０において左方はエレベータの乗降口側であり、右方は背面壁４１側となっている。複数の天井フック１は、昇降路４０の奥行き方向である前後方向（図２８乃至図３０における左右方向）に沿って複数据え付けられている。複数の天井フック１の据え付け位置は図１乃至図３に示すような第１の実施の形態における天井フック１の据え付け位置と略同一となっている。
【００５５】
図２８乃至図３０に示すように、エレベータ据付時には、各天井フック１のうち、昇降路４０の天井部におけるエレベータ乗降口近傍の位置、および昇降路４０の背面壁４１近傍の位置にある２つの天井フック１から、駆動ロープ２およびセイフティライン６が重量フック４およびシャックル５を介してそれぞれ吊り下げられている。また、メインレール立設部近傍の位置にある天井フック１には、揚重機８が吊り下げられている。
【００５６】
エレベータ据付時には、図２８乃至図３０に示すようなゴンドラ３が用いられる。このゴンドラ３は、巻上機の一種である電動ウィンチ７およびセイフティブロック２４をそれぞれ複数備えている。具体的には、ゴンドラ３の前側に２個、後ろ側に２個、合計４つの電動ウィンチ７およびセイフティブロック２４が設けられている。ここで、エレベータ乗降口側の電動ウィンチ７および昇降路４０の背面壁４１側の電動ウィンチ７からなる一組の電動ウィンチ７は、昇降路４０内で吊り下げられた互いに異なる駆動ロープ２に係合して回転駆動するようになっており、各々の電動ウィンチ７が対応する駆動ロープ２の巻き取りまたは巻き戻しを独立して行うことによりゴンドラ３が昇降路４０内で昇降を行うようになっている。更に、上述の一組の電動ウィンチ７が異なる張力で各々の駆動ロープ２に係合することにより、図２８乃至図３０に示すようにゴンドラ３を昇降路４０内で前後方向に移動させることができるようになる。
【００５７】
次に、エレベータの昇降路４０内におけるこのようなゴンドラ３の移動方法について、図２８乃至図３０を用いてより詳細に説明する。
【００５８】
図２８に示すように、ゴンドラ３をエレベータ乗降口近傍に移動させる際には、背面壁４１側の電動ウィンチ７において駆動ロープ２に対する張力を緩め、乗降口側の電動ウィンチ７において駆動ロープ２に対する張力を大きくすることによりこの乗降口側の駆動ロープ２が略直線状に張るようにする。
【００５９】
図２９に示すように、ゴンドラ３を昇降路４０の中央位置に移動させる際には、乗降口側の電動ウィンチ７および背面壁４１側の電動ウィンチ７を均等に作動し、各電動ウィンチ７による駆動ロープ２の張力が均等になるようにする。
【００６０】
図３０に示すように、ゴンドラ３を昇降路４０の背面近傍に移動させる際には、乗降口側の電動ウィンチ７において駆動ロープ２に対する張力を緩め、背面壁４１側の電動ウィンチ７において駆動ロープ２に対する張力を大きくすることによりこの背面壁４１側の駆動ロープ２が略直線状に張るようにする。
【００６１】
以上のように本実施の形態のゴンドラ移動方法によれば、複数の天井フック１にそれぞれ駆動ロープ２を掛け、ゴンドラ３における複数の電動ウィンチ７にそれぞれ前述の天井フック１に掛けられた駆動ロープ２を係合させ、各電動ウィンチ７が独立して駆動ロープ２の巻き取りまたは巻き戻しを行うようになっている。この際に、各々の電動ウィンチ７が異なる張力で各々の駆動ロープ２に係合することによりゴンドラ３を昇降路４０内で前後方向に移動させることができるようになる。このため、ゴンドラ３を昇降路４０内で安全かつ効率良く前後方向に移動させることができ、このことによりゴンドラ３を利用したエレベータ据付の作業効率を向上させることができる。また、ゴンドラ３を非伸縮性部材からなる手摺等から構成させることができるようになるので、ゴンドラ３自体の簡素化および軽量化を図ることができるようになる。
【図面の簡単な説明】
【００６２】
【図１】第１の実施の形態においてゴンドラが昇降路内で前後方向に移動する状況を示す図であって、ゴンドラがエレベータ乗降口近傍にあるときの状態を示す側面図である。
【図２】第１の実施の形態においてゴンドラが昇降路内で前後方向に移動する状況を示す図であって、ゴンドラがメインレール立設部近傍にあるときの状態を示す側面図である。
【図３】第１の実施の形態においてゴンドラが昇降路内で前後方向に移動する状況を示す図であって、ゴンドラが昇降路の背面壁近傍にあるときの状態を示す側面図である。
【図４】第１の実施の形態におけるゴンドラの移動方法を示すフローチャートである。
【図５】第１の実施の形態におけるゴンドラの移動方法を示す側面図である。
【図６】第１の実施の形態におけるゴンドラの移動方法を示す側面図である。
【図７】第１の実施の形態におけるゴンドラの移動方法を示す側面図である。
【図８】第１の実施の形態におけるゴンドラの移動方法を示す側面図である。
【図９】第１の実施の形態におけるゴンドラの移動方法を示す側面図である。
【図１０】第１の実施の形態におけるゴンドラの移動方法を示す側面図である。
【図１１】第１の実施の形態におけるゴンドラの移動方法を示す側面図である。
【図１２】駆動ロープを天井フックに掛けるための重量フックの構成を示す斜視図である。
【図１３】天井フックに揚重機を掛けたときの状態を示す側面図である。
【図１４】第２の実施の形態においてゴンドラが昇降路内で前後方向に移動する状況を示す図であって、ゴンドラがエレベータ乗降口近傍にあるときの状態を示す側面図である。
【図１５】第２の実施の形態においてゴンドラが昇降路内で前後方向に移動する状況を示す図であって、ゴンドラがメインレール立設部近傍にあるときの状態を示す側面図である。
【図１６】第２の実施の形態においてゴンドラが昇降路内で前後方向に移動する状況を示す図であって、ゴンドラが昇降路の背面壁近傍にあるときの状態を示す側面図である。
【図１７】第２の実施の形態におけるゴンドラの移動方法を示すフローチャートである。
【図１８】第２の実施の形態におけるゴンドラの移動方法を順次示す側面図である。
【図１９】第２の実施の形態におけるゴンドラの移動方法を順次示す側面図である。
【図２０】第２の実施の形態におけるゴンドラの移動方法を順次示す側面図である。
【図２１】第２の実施の形態におけるゴンドラの移動方法を順次示す側面図である。
【図２２】昇降路の天井部に設けられたトロリビームの構成を示す上面図である。
【図２３】昇降路の天井部に設けられたトロリビームの構成を示す側面図である。
【図２４】図２３のトロリビームのＡ−Ａ矢視図である。
【図２５】図２３のトロリビームのＢ−Ｂ矢視図である。
【図２６】図２３のトロリビームおよびトロリのＣ−Ｃ矢視図である。
【図２７】図２６のトロリのＤ−Ｄ矢視図である。
【図２８】第３の実施の形態においてゴンドラが昇降路内で前後方向に移動する状況を示す図であって、ゴンドラがエレベータ乗降口近傍にあるときの状態を示す側面図である。
【図２９】第３の実施の形態においてゴンドラが昇降路内で前後方向に移動する状況を示す図であって、ゴンドラがメインレール立設部近傍にあるときの状態を示す側面図である。
【図３０】第３の実施の形態においてゴンドラが昇降路内で前後方向に移動する状況を示す図であって、ゴンドラが前記昇降路の背面壁近傍にあるときの状態を示す側面図である。
【図３１】従来のゴンドラの構成を示す側面図である。
【符号の説明】
【００６３】
１    天井フック
２    駆動ロープ
３    ゴンドラ
４    重量フック
５    シャックル
６    セイフティライン
７    電動ウィンチ
８    揚重機
９    トロリビーム
１０  トロリ
１０ａ  ギヤードトロリ
１０ｂ  プレーントロリ
１１  ローラ
１２  Ｕボルト
１３  傾斜座金
１４  ナット
１５  平座金
１６  ばね座金
１８  ハンドチェーン
１９  つなぎ部材
２０  ボルト
２１  取付板
２２  つなぎパイプ
２３  吊り元板
２４  セイフティブロック
２５  ロープガイド
２６  天井
２７  エンドプレート
２８  ジャッキベース
２９  丸パイプ
３０  ストッパー
４０  昇降路
４１  背面壁
４２  ホール
４５  フック固定部材
８１  天井フック
８２  駆動ロープ
８３  ゴンドラ
８４  重量フック
８６  セイフティライン
８７  電動ウィンチ
９０  昇降路
９１  背面壁
【図１】
2008222382.tif 000003
【図２】
2008222382.tif 000004
【図３】
2008222382.tif 000005
【図４】
2008222382.tif 000006
【図５】
2008222382.tif 000007
【図６】
2008222382.tif 000008
【図７】
2008222382.tif 000009
【図８】
2008222382.tif 000010
【図９】
2008222382.tif 000011
【図１０】
2008222382.tif 000012
【図１１】
2008222382.tif 000013
【図１２】
2008222382.tif 000014
【図１３】
2008222382.tif 000015
【図１４】
2008222382.tif 000016
【図１５】
2008222382.tif 000017
【図１６】
2008222382.tif 000018
【図１７】
2008222382.tif 000019
【図１８】
2008222382.tif 000020
【図１９】
2008222382.tif 000021
【図２０】
2008222382.tif 000022
【図２１】
2008222382.tif 000023
【図２２】
2008222382.tif 000024
【図２３】
2008222382.tif 000025
【図２４】
2008222382.tif 000026
【図２５】
2008222382.tif 000027
【図２６】
2008222382.tif 000028
【図２７】
2008222382.tif 000029
【図２８】
2008222382.tif 000030
【図２９】
2008222382.tif 000031
【図３０】
2008222382.tif 000032
【図３１】
2008222382.tif 000033